(57)【要約】    【課題】  生体情報測定装置において、脈波による影響を抑制して、血糖値を従来よりも精度よく、かつ信頼性高く検出する。    【解決手段】  生体１０のインピーダンスＩを電極２１によって検出し、このインピーダンスＩに基づいて生体１０の血糖値Ｇを血糖値算出部２２によって求める血糖値検出手段２０と、生体１０の脈波Ｗを検出する脈波センサ３１とを備え、血糖値算出部２２は、脈波センサ３１により検出された脈波Ｗのピークに同期したインピーダンスＩに基づいて血糖値Ｇを求める。【選択図】            図１
2005204787.tif 000002
【特許請求の範囲】
【請求項１】
生体のインピーダンスを検出し、該インピーダンスに基づいて前記生体の血糖値を検出する血糖値検出手段と、前記生体の脈波を検出する脈波センサとを備え、前記血糖値検出手段は、前記脈波センサにより検出された前記脈波のピークまたはボトムに同期した前記インピーダンスに基づいて前記血糖値を求めることを特徴とする生体情報測定装置。
【請求項２】
生体のインピーダンスを検出し、該インピーダンスに基づいて前記生体の血糖値を検出する血糖値検出手段と、前記インピーダンスに基づいて前記生体の脈波を検出する脈波検出手段とを備え、前記血糖値検出手段は、前記脈波検出手段により検出された脈波のピークまたはボトムに同期した前記インピーダンスに基づいて前記血糖値を求めることを特徴とする生体情報測定装置。
【発明の詳細な説明】
【技術分野】
【０００１】
本発明は、生体情報測定装置に関し、詳細には、生体のインピーダンスに基づく血糖値測定の改良に関する。
【背景技術】
【０００２】
従来より、生体の血糖値を非侵襲的に測定する技術として、生体の皮膚に複数の電極を取り付け、この電極間に所定の微弱電流を流して、生体のインピーダンスを計測し、インピーダンスと所定の対応関係を有する血糖値（グルコース濃度等）を、計測されたインピーダンスを当該所定の対応関係に基づいて変換処理することによって求めるものが提案されている（特許文献１）。
【０００３】
この技術によれば、比較的簡単な構成によって、かつ簡単に、しかも被検者に対して負担を殆ど与えることなく、血糖値を測定することができ、実用性が高い。
【０００４】
また、電流を通電させる電極に代えて、所定のスペクトルの近赤外光等光を生体に照射し、その透過光や反射光を検出する光源および光センサを用い、得られた透過光等のスペクトルを解析することにより、生体の血糖値を非侵襲的に測定する技術も知られている（特許文献２）。
【特許文献１】特表２００２−５０１８０２号公報
【特許文献２】特開平１１−３４２１２３号公報
【発明の開示】
【発明が解決しようとする課題】
【０００５】
ところで、生体のインピーダンスを実際に検出しようとすると、その検出領域に拍動（脈波）が生じることによって、インピーダンスの測定値に変動が生じる。そして、このインピーダンスが変動することにより、検出された血糖値の信頼性が低下し、実用面で問題がある。
【０００６】
また、脈波とは無関係な適当な周期でインピーダンスを複数回検出し、これら検出された複数のインピーダンスの平均値を算出し、この平均値に基づいて血糖値を求めたり、あるいは各検出回ごとのインピーダンスに基づいてそれぞれ血糖値を求め、得られた複数の血糖値の平均値を求めることも行われ、最終的に得られた血糖値（平均値）は、脈波の影響が相対的に抑制されたものとなるが、多数回の平均値は、インピーダンス（＝血糖値）の微小な変動を見逃しかねず、そもそも分散値が大きい場合には、平均値の信頼性は低い。
【０００７】
本発明は上記事情に鑑みなされたものであり、脈波による影響を抑制して、血糖値を従来よりも精度よく、かつ信頼性高く検出することを可能にした生体情報測定装置を提供することを目的とするものである。
【課題を解決するための手段】
【０００８】
上記課題を解決するため本発明に係る生体情報測定装置は、脈波のピーク（血管を透過した透過光量の極大値に対応する部分）やボトム（血管を透過した透過光量の極小値に対応する部分）に同期したインピーダンスに基づいて、血糖値を求めるものである。
【０００９】
すなわち、本発明に係る第１の生体情報測定装置は、生体のインピーダンスを検出し、該インピーダンスに基づいて前記生体の血糖値を検出する血糖値検出手段と、前記生体の脈波を検出する脈波センサとを備え、前記血糖値検出手段は、前記脈波センサにより検出された前記脈波のピークまたはボトムに同期した前記インピーダンスに基づいて前記血糖値を求めることを特徴とする。
【００１０】
ここで、脈波は、血流からの反射光量あるいは血流の透過光量についての時系列的分布波形として捉えられ、脈波センサは、例えば反射光量あるいは透過光量についての時系列的分布を光学的に検出するものを適用することができ、光源と光センサとのセットからなるものが代表的なものであるが、必ずしも光学的に検出するものに限定されるものではない。
【００１１】
反射光を利用するものとしては、指先に装着して指尖脈波を検出する反射型脈波ピックアップ等、透過光を利用するものとしては、同じく指尖脈波を検出する透過型脈波検出ピックアップや耳朶部位脈波を検出する透過型脈波ピックアップ等を適用することができる。
【００１２】
また、脈波の検出は、インピーダンスを検出する領域の近傍で行うことが好ましく、インピーダンスを検出する領域と同一領域において行うことが最適である。
【００１３】
血糖値検出手段は、詳しくは例えば、生体に取り付けられる電極部と、電極部を介して検出された生体のインピーダンスに基づいて、インピーダンスを血糖値に変換処理して血糖値を求める血糖値算出部とからなるものなどを適用することができる。ここで、血糖値算出部は、インピーダンスと血糖値との予め求められた対応関係に基づいて、検出されたインピーダンスを血糖値に変換処理する。インピーダンスと血糖値との対応関係は、演算式の形式で保持するのが好ましい。ただし、参照テーブル（ルックアップテーブル）等他の形式で保持するのを排除するものではない。
【００１４】
なお、電極部は、手首の近傍部に取り付けられるのが好ましい。
【００１５】
また、脈波のピークやボトムは、脈波の時系列的な波形におけるものであり、ピークやボトムの周辺における検出光量との大小関係によって規定される性質のものである。したがって、実際にピークやボトムとなっている瞬間においては、その瞬間がピークやボトムであることをリアルタイムには把握できないのであり、ピークやボトムを過ぎて、ピーク通過後やボトム通過後の検出光量と比較することによって初めて、ピークの時点やボトムの時点を把握することができる。
【００１６】
このため、ピークやボトムの瞬間をトリガとしてピークやボトムのインピーダンスを検出することは、時間経過を逆行することになるため理論上不可能であり、リアルタイムの検出では必ず時間遅れが生じる。
【００１７】
よって、上記「脈波のピークまたはボトムに同期したインピーダンスに基づいて」とは、このピークやボトムを含む時系列的範囲で、インピーダンスを検出し続ける（適当な時間間隔で離散的に検出してもよい）とともに、検出されたインピーダンスを一時的に記憶しておき、脈波のピークやボトムが把握された後に、その把握されたピークやボトムに対応する時点のインピーダンスを、一時的に記憶されたインピーダンスから読み出すようにすればよい。
【００１８】
なお、ピークやボトムを検出する処理の繰返し周波数が極めて高く、かつ検出のための演算速度が極めて速い場合であって、上述したリアルタイムの検出で生じる時間遅れによる影響が、検出光量の変動による血糖値の誤差を無視しうる範囲となる程度の影響に過ぎない場合には、上述したリアルタイムの検出（厳密には極微小な時間遅れを伴う検出）も、「脈波のピークまたはボトムに同期した前記インピーダンス」に含まれる。
【００１９】
また、脈波センサは、少なくとも脈波のピークやボトムを求めるのに必要な、脈波の時系列的な波形を検出すれば足りるのであって、各検出時点における血流量の絶対値を検出することまでは要しない。
【００２０】
このように構成された本発明に係る第１の生体情報測定装置によれば、脈波センサが生体の脈波を検出し、血糖値検出手段が、生体のインピーダンスを検出するとともに脈波センサによって検出された脈波のピークまたはボトムに同期したインピーダンスに基づいて血糖値を求める。
【００２１】
そして、常に、脈波のピークやボトムにおけるインピーダンスに基づいて血糖値を求めることにより、得られた血糖値を過去のものと比較したり、基準となる血糖値と比較する場合に、脈波による変動成分の影響を無視することができ、定量性の精度を従来よりも向上させることができるとともに、検出結果の信頼性も向上させることができる。
【００２２】
また、上記課題を解決するため、本発明に係る第２の生体情報測定装置は、生体のインピーダンスを検出し、該インピーダンスに基づいて前記生体の血糖値を検出する血糖値検出手段と、前記インピーダンスに基づいて前記生体の脈波を検出する脈波検出手段とを備え、前記血糖値検出手段は、前記脈波検出手段により検出された脈波のピークまたはボトムに同期した前記インピーダンスに基づいて前記血糖値を求めることを特徴とする。
【００２３】
ここで、血糖値検出手段が、インピーダンスを連続的に検出し、あるいはインピーダンスを、想定される脈波の周期の１／２以上のサンプリング周期（サンプリング間隔が脈波の周期の１／２以下となる周期）で離散的に検出することにより、脈波の挙動（波形）に対応したインピーダンスの変動波形を得ることができ、脈波検出手段は、このインピーダンスの変動波形に基づいて、例えば特許第２７２７６０９号に開示された、インピーダンスに基づく脈波の検出技術を適用して、脈波を検出すればよい。
【００２４】
なお、脈波検出手段は、少なくとも脈波のピークやボトムを求めるのに必要な、脈波の時系列的な波形を検出すれば足りるのであって、各検出時点における血流量の絶対値を検出することまでは要しない。
【００２５】
また、血糖値検出手段は、詳しくは例えば、生体に取り付けられる電極部と、電極部を介して検出された生体のインピーダンスに基づいて、インピーダンスを血糖値に変換処理して血糖値を求める血糖値算出部とからなるものなどを適用することができる。ここで、血糖値算出部は、インピーダンスと血糖値との予め求められた対応関係に基づいて、検出されたインピーダンスを血糖値に変換処理する。インピーダンスと血糖値との対応関係は、演算式の形式で保持するのが好ましい。ただし、参照テーブル（ルックアップテーブル）等他の形式で保持するのを排除するものではない。
【００２６】
なお、電極部は、手首の近傍に取り付けられるのが好ましい。
【００２７】
また、血糖値検出手段が、「脈波のピークまたはボトムに同期したインピーダンスに基づいて」血糖値を求めるとは、このピークやボトムを含む時系列的範囲で、インピーダンスを検出し続ける（適当な時間間隔で離散的に検出してもよい）とともに、検出されたインピーダンスを一時的に記憶しておき、脈波のピークやボトムが把握された後に、その把握されたピークやボトムに対応する時点のインピーダンスを、一時的に記憶されたインピーダンスから読み出すようにすればよい。
【００２８】
なお、ピークやボトムを検出する処理の繰返し周波数が極めて高く、かつ検出のための演算速度が極めて速い場合であって、上述したリアルタイムの検出では生じる時間遅れによる影響が、脈波による血糖値の誤差を無視しうる範囲となる程度の影響に過ぎない場合には、上述したリアルタイムの検出（厳密には極微小な時間遅れを伴う検出）も、「脈波のピークまたはボトムに同期した前記インピーダンス」に含まれる。
【００２９】
このように構成された本発明に係る第２の生体情報測定装置によれば、血糖値検出手段が、生体のインピーダンスを連続的または上述した周期で離散的に検出し、脈波検出手段が、この血糖値検出手段によって検出されたインピーダンスに基づいて生体の脈波を検出し、血糖値検出手段が、脈波検出手段によって検出された脈波のピークまたはボトムに同期したインピーダンスに基づいて血糖値を求める。
【００３０】
そして、常に、脈波のピークやボトムにおけるインピーダンスに基づいて血糖値を求めることにより、得られた血糖値を過去のものと比較したり、基準となる血糖値と比較する場合に、脈波による変動成分の影響を無視することができ、定量性の精度を従来よりも向上させることができるとともに、検出結果の信頼性も向上させることができる。
【発明の効果】
【００３１】
本発明に係る生体情報測定装置によれば、常に、脈波のピークやボトムにおけるインピーダンスに基づいて血糖値を求めることにより、得られた血糖値を過去のものと比較したり、基準となる血糖値と比較する場合に、脈波による変動成分の影響を無視することができ、定量性の精度を従来よりも向上させることができるとともに、検出結果の信頼性も向上させることができる。
【発明を実施するための最良の形態】
【００３２】
以下、本発明の生体情報測定装置に係る最良の実施形態について、図面を参照して説明する。
（実施形態１）
図１は、本発明の第１の実施形態に係る生体情報測定装置４０の構成を示すブロック図である。
【００３３】
図示の生体情報測定装置４０は、生体１０のインピーダンスＩを検出し、この検出されたインピーダンスＩに基づいて生体４０の血糖値Ｇを検出する血糖値検出手段２０と、生体１０の脈波Ｗを検出する脈波センサ３１とを備えている。
【００３４】
ここで、血糖値検出手段２０は、生体１の手首近傍に装着される手首帯に設けられてこの手首に接する電極２１と、電極２１に微弱な所定の電流を通電させるとともに、電極２１を介した生体１０による電圧降下等に基づいて、電極２１が取り付けられた生体１０のインピーダンスＩを算出し、算出されたインピーダンスＩに基づいて、予め実験的に求められたインピーダンスＩと血糖値Ｇとの対応関係を表す演算式を用いて、算出されたインピーダンスＩに対応する血糖値Ｇを算出する血糖値算出部２２とを備えている。また、インピーダンスＩと血糖値Ｇとの具体的な対応関係は、特許文献１等に示された技術によって求められる。
【００３５】
なお、血糖値算出部２２は、例えば３０ｋＨｚ〜２ＭＨｚ程度の周期で、インピーダンスＩを、演算式に基づいて血糖値Ｇに変換処理し、基準時からの経過時間ｔとその時間ｔにおける血糖値Ｇ（ｔ）とを対応付けて、図示しないフラッシュメモリ等の一時記憶部に記憶する。このとき、経過時間ｔと血糖値Ｇ（ｔ）とを対応付けて記憶するのに代えて、経過時間ｔとその時間ｔにおけるインピーダンスＩ（ｔ）とを対応付けて記憶するようにしてもよい。
【００３６】
また、血糖値Ｇ（ｔ）への変換処理やインピーダンスＩ（ｔ）の周期（以下、便宜的にサンプリング周期という。）は、上記３０ｋＨｚ〜２ＭＨｚに限定されるものではなく、後述する脈波Ｗの波形をサンプリング定理に基づいて再現しうる周期（脈波Ｗの周期の１／２）以上であればよい。
【００３７】
ここで、基準時からの経過時間ｔとインピーダンスＩとは、図２（ａ）の実線により示す対応関係が認められる。
【００３８】
脈波センサ３１は、電極２１が取り付けられる生体１０の領域の近傍に取り付けられ、生体１０の図示しない血管に対して所定の光量の光（可視光等）を照射するとともに、その照射した血管を介した透過光を光電的に検出して、透過光量Ｐの経時的変化を表す脈波Ｗを検出する。
【００３９】
そして、血糖値算出部２２は、脈波センサ３１によって検出された脈波Ｗのピーク（透過光量Ｐが周期的に極大となる部分）に同期して、血糖値Ｇ（ｔ）を求める。この脈波Ｗのピークに同期して血糖値Ｇ（ｔ）を求める方法は、脈波Ｗのピークに対応する経過時間ｔにおける血糖値Ｇ（ｔ）を、フラッシュメモリから読み出せばよい。
【００４０】
すなわち、透過光量Ｐの経時的変化を表す脈波Ｗが、例えば図２（ｂ）に示す波形として脈波センサ３１により検出され、脈波Ｗのピークが、時間ｔ＝ｔ１，ｔ３，ｔ５，…において検出されたとき、血糖値算出部２２は、この時間ｔ１，ｔ３，ｔ５，…と対応付けられてフラッシュメモリに記憶されている血糖値Ｇ１（＝Ｇ（ｔ１）），Ｇ３（＝Ｇ（ｔ３）），Ｇ５（＝Ｇ（ｔ５）），…を読み出すことにより、脈波Ｗのピークに同期した血糖値Ｇ（ｔ）を求めることができる。
【００４１】
なお、フラッシュメモリに、経過時間ｔとその時間ｔにおけるインピーダンスＩ（ｔ）とが対応付けられて記憶されている場合には、血糖値算出部２２は、時間ｔ１，ｔ３，ｔ５，…と対応付けられてフラッシュメモリに記憶されているインピーダンスＩ１（＝Ｉ（ｔ１）），Ｉ３（＝Ｉ（ｔ３）），Ｉ５（＝Ｉ（ｔ５）），…を読み出して、脈波Ｗのピークに同期したインピーダンスＩ（ｔ）を求め、この脈波Ｗのピークに同期したインピーダンスＩ（ｔ）を、演算式を利用して、血糖値Ｇ（ｔ）に変換処理することにより、脈波Ｗのピークに同期した血糖値Ｇ（ｔ）を求めればよい。
【００４２】
また、脈波Ｗのピークが、時間ｔ＝ｔ１，ｔ３，ｔ５，…において検出され、血糖値算出部２２のフラッシュメモリには、この時間ｔ１，ｔ３，ｔ５，…と完全に一致する時間におけるインピーダンスＩ１，Ｉ３，Ｉ５，…や血糖値Ｇ１，Ｇ３，Ｇ５，…が記憶されていない場合には、各時間ｔの前後におけるインピーダンスＩや血糖値Ｇを用いて、血糖値算出部２２が補間演算処理を行って、時間ｔ＝ｔ１，ｔ３，ｔ５，…におけるインピーダンスＩ１，Ｉ３，Ｉ５，…や血糖値Ｇ１，Ｇ３，Ｇ５，…を求めてもよいし、フラッシュメモリに記憶されているデータのうち、各時間ｔ１，ｔ３，ｔ５，…に最も近い時間ｔ１′，ｔ３′，ｔ５′，…におけるインピーダンスＩ１′（＝Ｉ（ｔ１′）），Ｉ３′（＝Ｉ（ｔ３′）），Ｉ５′（＝Ｉ（ｔ５′）），…や血糖値Ｇ１′（＝Ｇ（ｔ１′）），Ｇ３′（＝Ｇ（ｔ３′）），Ｇ５′（＝Ｇ（ｔ５′）），…によって、インピーダンスＩ１，Ｉ３，Ｉ５，…や血糖値Ｇ１，Ｇ３，Ｇ５，…に代替してもよい。
【００４３】
なお、補間演算処理としては、最近傍補間（０次補間）、線形補間、３次スプライン補間等種々の公知の補間演算処理を適用することができる。
【００４４】
また、脈波センサ３１は、電極２１とともに手首に配置されるが、電極２１と一体的に手首帯等に組み込まれた構成としてもよい。
【００４５】
次に、本実施形態に係る第１の生体情報測定装置４０の作用について説明する。
【００４６】
まず、生体１０の手首に取り付けられた電極２１により、血糖値算出部２２が、上述したサンプリング周期で生体１０の手首におけるインピーダンスＩを検出する。このインピーダンスＩは、図２（ａ）に示すように、所定の基準時（ｔ＝０）からの経過時間ｔと対応関係を有し、血糖値算出部２２は、サンプリング周期でサンプリングされた各インピーダンスＩ（ｔ）を、演算式を利用して、対応する血糖値Ｇ（ｔ）に変換処理する。
【００４７】
そして、得られた血糖値Ｇ（ｔ）が経過時間ｔと対応付けられて、図示しないフラッシュメモリに記憶される。
【００４８】
一方、インピーダンスＩの検出と並行して（血糖値算出部２２において同期させる。）、電極２１の近傍に設けられた脈波センサ３１が、インピーダンスＩの検出についての上記所定の基準時（ｔ＝０）からの経過時間ｔに対応して、生体１０の脈波Ｗを検出する。この脈波Ｗは、図２（ｂ）に示すように、上記基準時（ｔ＝０）からの経過時間ｔと透過光量Ｐとの対応関係を示し、検出された脈波Ｗは血糖値算出部２２に入力される。
【００４９】
血糖値算出部２２は、入力された脈波Ｗのピークを検出する。このピークの検出は、経時的に隣接する前後の透過光量Ｐの値を比較して、透過光量Ｐが極大となる部分（図２（ｂ）において、透過光量Ｐ１，Ｐ３，Ｐ５，…の部分）を求めることにより行われる。なお、透過光量Ｐを時間ｔで一次微分した微分値に基づいて求めてもよい。
【００５０】
そして、血糖値算出部２２は、脈波Ｗのピークにおける時間ｔ（＝ｔ１，ｔ３，ｔ５，…）を求め、この脈波Ｗがピークを示したときの時間ｔ１，ｔ３，ｔ５，…における血糖値Ｇ１，Ｇ３，Ｇ５，…を、フラッシュメモリから読み出す。この読み出された血糖値Ｇ１，Ｇ３，Ｇ５，…は、脈波Ｗのピークに同期したインピーダンスＩ１，Ｉ３，Ｉ５，…に基づいて求められた値ということができる。
【００５１】
このようにして得られた血糖値Ｇ１，Ｇ３，Ｇ５，…は、常に、脈波Ｗのピークにおけるインピーダンスに基づいたものであるから、得られた血糖値Ｇ１，Ｇ３，Ｇ５，…を過去のものと比較したり、疾病の有無や状況を判定するために別途設定された基準血糖値と比較する場合に、脈波Ｗによる変動成分の影響を無視することができ、定量性の精度を従来よりも向上させることができるとともに、検出結果の信頼性も向上させることができる。
【００５２】
以上のように、本実施形態の生体情報測定装置４０によれば、脈波Ｗによる影響を抑制して、血糖値Ｇを従来よりも精度よく、かつ信頼性高く検出することができる。
【００５３】
なお、得られた血糖値Ｇ１，Ｇ３，Ｇ５，…は、例えばこれら血糖値の平均値Ｇｍとともに、生体情報測定装置４０の一部として構成され、または生体情報測定装置４０の外部の装置として構成されたモニタ５１やプリンタ５２により、表示出力、印字出力されて、各種の診断に供される。
【００５４】
本実施形態に係る生体情報測定装置４０は、脈波Ｗのピークと同期した血糖値Ｇ（ｔ）を求めるものであるが、本発明に係る生態情報測定装置はこの態様に限定されるものではなく、例えば図２（ｂ）に示す、時系列的に透過光量Ｐが極小となる部分（図２（ｂ）において、透過光量Ｐ２，Ｐ４，Ｐ６，…の部分）である脈波Ｗのボトムと同期した血糖値Ｇ（ｔ）を求めるものであってもよく、このように構成された生体情報測定装置によっても、脈波Ｗのピークと同期した血糖値Ｇ（ｔ）を求める生体情報測定装置４０と同様の作用、効果を奏することができる。
（実施形態２）
図３は、本発明の第２の実施形態に係る生体情報測定装置４０の構成を示すブロック図である。
【００５５】
図示の生体情報測定装置４０は、生体１０のインピーダンスＩを検出し、この検出されたインピーダンスＩに基づいて生体４０の血糖値Ｇを検出する血糖値検出手段２０と、検出されたインピーダンスＩに基づいて生体１０の脈波Ｗを検出する脈波検出手段３２とを備えている。また血糖値検出手段２０は、脈波検出手段３２により検出された脈波Ｗのピークまたはボトムに同期したインピーダンスＩに基づいて血糖値Ｇを求める。
【００５６】
ここで、血糖値検出手段２０は、生体１の手首近傍に装着される手首帯に設けられてこの手首に接する電極２１と、電極２１に微弱な所定の電流を通電させるとともに、電極２１を介した生体１０による電圧降下等に基づいて、電極２１が取り付けられた生体１０のインピーダンスＩを算出し、算出されたインピーダンスＩに基づいて、予め実験的に求められたインピーダンスＩと血糖値Ｇとの対応関係を表す演算式を用いて、算出されたインピーダンスＩに対応する血糖値Ｇを算出する血糖値算出部２２とを備えている。また、インピーダンスＩと血糖値Ｇとの具体的な対応関係は、特許文献１等に示された技術によって求められる。
【００５７】
なお、血糖値算出部２２は、例えば３０ｋＨｚ〜２ＭＨｚ程度の周期で、インピーダンスＩを、演算式に基づいて血糖値Ｇに変換処理し、基準時からの経過時間ｔとその時間ｔにおける血糖値Ｇ（ｔ）とを対応付けて、図示しないフラッシュメモリ等の一時記憶部に記憶する。このとき、経過時間ｔと血糖値Ｇ（ｔ）とを対応付けて記憶するのに代えて、経過時間ｔとその時間ｔにおけるインピーダンスＩ（ｔ）とを対応付けて記憶するようにしてもよい。
【００５８】
また、血糖値Ｇ（ｔ）への変換処理やインピーダンスＩ（ｔ）の周期（以下、便宜的にサンプリング周期という。）は、上記３０ｋＨｚ〜２ＭＨｚに限定されるものではなく、後述する脈波Ｗの波形をサンプリング定理に基づいて再現しうる周期（脈波Ｗの周期の１／２）以上であればよい。
【００５９】
ここで、基準時からの経過時間ｔとインピーダンスＩとは、図２（ａ）の実線により示す対応関係が認められる。
【００６０】
脈波検出手段３２は、血糖値検出手段２０によって検出されたインピーダンスＩの変動波形に基づいて、例えば特許第２７２７６０９号に開示された、インピーダンスに基づく脈波の検出技術によって、脈波Ｗを検出する。
【００６１】
ここで、上記脈波の検出技術は、生体１０に取り付けられた電極２１に、周波数が互いに異なる第１および第２の発振信号を合成したうえで通電させ、この通電による生体１０のインピーダンス変化に基づいて第１および第２の周波数に対応する各成分を分離抽出し、得られた第１の周波数に対応する成分と第２の周波数に対応する各成分との間で、適当な重み付けをした減算処理を行うことにより、脈波Ｗを検出するものである。
【００６２】
そして、血糖値算出部２２は、脈波検出手段３２によって検出された脈波Ｗのピークに同期して、血糖値Ｇ（ｔ）を求める。この脈波Ｗのピークに同期して血糖値Ｇ（ｔ）を求める方法は、前述した実施形態１と同様であるので、説明を省略する。
【００６３】
次に、本実施形態に係る第２の生体情報測定装置４０の作用について説明する。
【００６４】
まず、生体１０の手首に取り付けられた電極２１により、血糖値算出部２２が、上述したサンプリング周期で生体１０の手首におけるインピーダンスＩを検出する。このインピーダンスＩは、図２（ａ）に示すように、所定の基準時（ｔ＝０）からの経過時間ｔと対応関係を有し、血糖値算出部２２は、サンプリング周期でサンプリングされた各インピーダンスＩ（ｔ）を、演算式を利用して、対応する血糖値Ｇ（ｔ）に変換処理する。
【００６５】
そして、得られた血糖値Ｇ（ｔ）が経過時間ｔと対応付けられて、図示しないフラッシュメモリに記憶される。
【００６６】
また、脈波検出手段３２は、血糖値算出部２２によって検出されたインピーダンスＩに基づいて、前述した脈波Ｗの検出処理により、上記所定の基準時（ｔ＝０）からの経過時間ｔと脈波Ｗの値Ｐ（実施形態１における透過光量Ｐと対応する値）との対応関係である図２（ｂ）に示す生体１０の脈波Ｗを検出し、検出された脈波Ｗを血糖値算出部２２に入力する。
【００６７】
血糖値算出部２２は、入力された脈波Ｗのピークを検出する。このピークの検出は、経時的に隣接する前後の脈波Ｗの値Ｐを比較して、値Ｐが極大となる部分（図２（ｂ）において、値Ｐ１，Ｐ３，Ｐ５，…の部分）を求めることにより行われる。なお、値Ｐを時間ｔで一次微分した微分値に基づいて求めてもよい。
【００６８】
そして、血糖値算出部２２は、脈波Ｗのピークにおける時間ｔ（＝ｔ１，ｔ３，ｔ５，…）を求め、この脈波Ｗがピークを示したときの時間ｔ１，ｔ３，ｔ５，…における血糖値Ｇ１，Ｇ３，Ｇ５，…を、フラッシュメモリから読み出す。この読み出された血糖値Ｇ１，Ｇ３，Ｇ５，…は、脈波Ｗのピークに同期したインピーダンスＩ１，Ｉ３，Ｉ５，…に基づいて求められた値ということができる。
【００６９】
このようにして得られた血糖値Ｇ１，Ｇ３，Ｇ５，…は、常に、脈波Ｗのピークにおけるインピーダンスに基づいたものであるから、得られた血糖値Ｇ１，Ｇ３，Ｇ５，…を過去のものと比較したり、疾病の有無や状況を判定するために別途設定された基準血糖値と比較する場合に、脈波Ｗによる変動成分の影響を無視することができ、定量性の精度を従来よりも向上させることができるとともに、検出結果の信頼性も向上させることができる。
【００７０】
以上のように、本実施形態の生体情報測定装置４０によれば、脈波Ｗによる影響を抑制して、血糖値Ｇを従来よりも精度よく、かつ信頼性高く検出することができる。
【００７１】
なお、得られた血糖値Ｇ１，Ｇ３，Ｇ５，…は、例えばこれら血糖値の平均値Ｇｍとともに、生体情報測定装置４０の一部として構成され、または生体情報測定装置４０の外部の装置として構成されたモニタ５１やプリンタ５２により、表示出力、印字出力されて、各種の診断に供される。
【００７２】
本実施形態に係る生体情報測定装置４０は、脈波Ｗのピークと同期した血糖値Ｇ（ｔ）を求めるものであるが、本発明に係る生態情報測定装置はこの態様に限定されるものではなく、例えば図２（ｂ）に示す、時系列的に脈波Ｗの値Ｐが極小となる部分（図２（ｂ）において、値Ｐ２，Ｐ４，Ｐ６，…の部分）である脈波Ｗのボトムと同期した血糖値Ｇ（ｔ）を求めるものであってもよく、このように構成された生体情報測定装置によっても、脈波Ｗのピークと同期した血糖値Ｇ（ｔ）を求める生体情報測定装置４０と同様の作用、効果を奏することができる。
【００７３】
なお、上述した各実施形態に係る生体情報測定装置は、電極２１を手首帯によって手首近傍に取り付ける形態であるが、本発明に係る各生体情報測定装置は、この形態に限定されるものではなく、電極の取付部位や取付方法は、インピーダンスの測定に適する限り、他の種々の部位や方法を採用することができる。
【００７４】
また、診断に供する血糖値の平均値Ｇｍを求める際には、上述したように、時系列的な複数の時点（ｔ＝ｔ１，ｔ３，ｔ５，…）における各血糖値Ｇ１，Ｇ３，Ｇ５，…を加算平均することによって求めてもよいし、あるいは、時系列的な複数の時点（ｔ＝ｔ１，ｔ３，ｔ５，…）における各インピーダンスＩ１，Ｉ３，Ｉ５，…を予め加算平均してインピーダンスの平均値Ｉｍを求め、このインピーダンスの平均値Ｉｍに対応する血糖値を、上記血糖値の平均値Ｇｍとして採用してもよい。なお、平均値を算出するに際しては、例えば連続する１０回分のピークの時点（ｔ＝ｔ１，ｔ３，…，ｔ１７，ｔ１９）における値（インピーダンスまたは血糖値）について求めればよい。
【００７５】
また、上記各実施形態においては、脈波Ｗを透過光量Ｐの時系列的分布波形として捉えたが、反射光量の時系列的分布波形として捉えることもでき、この場合、透過光量と反射光量とは相補的な関係にあるため、脈波の波形は、上下反転したものとなる。
【図面の簡単な説明】
【００７６】
【図１】本発明の第１の実施形態に係る生体情報測定装置の構成を示すブロック図である。
【図２】（ａ）はインピーダンスの時系列的変動を模式的に示すグラフ、（ｂ）は脈波の時系列的変動を模式的に示すグラフである。
【図３】本発明の第２の実施形態に係る生体情報測定装置の構成を示すブロック図である。
【符号の説明】
【００７７】
１０  生体
２０  血糖値検出手段
２１  電極
２２  血糖値算出部
３１  脈波センサ
３２  脈波検出手段
４０  生体情報測定装置
５１  モニタ
５２  プリンタ
Ｉ    インピーダンス
Ｐ    透過光量
ｔ    時間
W    脈波
【図１】
2005204787.tif 000003
【図２】
2005204787.tif 000004
【図３】
2005204787.tif 000005